(57)【要約】【課題】本開示では、落下強度を向上することにより、より品位の高いレンズ鏡筒を提供することができる。【解決手段】レンズ鏡筒は、カムフォロアを有する第１枠と、前記カムフォロアと係合するカムを有する第２枠と、を備える。前記カムは、前記第２枠の回転方向に延びる第１区間と、前記第１区間と連続し、前記第２枠の回転方向に対して傾いて延びる第２区間と、前記第１区間に対して前記第２区間と反対側で前記第１区間に連続し、前記第２枠の回転方向に対して傾いて延びる第３区間と、を有する。前記カムフォロアは、前記カムの前記第１区間と対向して配置された第１面と、前記第１面と連続して構成され、前記第２枠の回転方向に対して傾いて延びる第２面と、前記第１面に対して前記第２面と反対側で前記第１面に連続し、前記第２枠の回転方向に対して傾いて延びる第３面と、を有する。【選択図】図９
2014142633.tif 000002
【特許請求の範囲】
【請求項１】
カムフォロアを有する第１枠と、
前記カムフォロアと係合するカムを有する第２枠と
を備え、
前記カムは、
前記第２枠の回転方向に延びる第１区間と、
前記第１区間と連続し、前記第２枠の回転方向に対して傾いて延びる第２区間と、
前記第１区間に対して前記第２区間と反対側で前記第１区間に連続し、前記第２枠の回転方向に対して傾いて延びる第３区間と
を有し、
前記カムフォロアは、
前記カムの前記第１区間と対向して配置された第１面と、
前記第１面と連続して構成され、前記第２枠の回転方向に対して傾いて延びる第２面と、
前記第１面に対して前記第２面と反対側で前記第１面に連続し、前記第２枠の回転方向に対して傾いて延びる第３面と、
を有する、レンズ鏡筒。
【請求項２】
前記カムフォロアの前記第１面は、円筒面、円錐面、又は平面である、請求項１に記載のレンズ鏡筒。
【請求項３】
少なくとも前記第１枠と前記第２枠の間に力が働いた時には、前記カムフォロアの前記第１面は、前記カムの前記第１区間、前記第２区間、及び前記第３区間の少なくともいずれか１つと当接する、請求項２に記載のレンズ鏡筒。
【請求項４】
少なくとも前記第１枠と前記第２枠の間に力が働いた時には、前記カムフォロアの前記第２面は、前記カムの前記第２区間と当接する、請求項３に記載のレンズ鏡筒。
【請求項５】
少なくとも前記第１枠と前記第２枠の間に力が働いた時には、前記カムフォロアの前記第３面は、前記カムの前記第３区間と当接する、請求項４に記載のレンズ鏡筒。
【請求項６】
前記カムフォロアの前記第２面の前記第２枠の回転方向に対する傾斜角度は、前記カムの前記第２区間の前記第２枠の回転方向に対する最大傾斜角度以上である、請求項３に記載のレンズ鏡筒。
【請求項７】
前記カムフォロアの前記第３面の前記第２枠の回転方向に対する傾斜角度は、前記カムの前記第３区間の前記第２枠の回転方向に対する最大傾斜角度以上である、請求項６に記載のレンズ鏡筒。
【請求項８】
前記第１枠は、最も被写体側に位置する第１レンズ群を保持するベース枠であり、
前記第２枠は、アクチュエータによって回転駆動されるカム枠である、請求項１に記載のレンズ鏡筒。
【発明の詳細な説明】
【技術分野】
【０００１】
本開示は、レンズ鏡筒に関する。
【背景技術】
【０００２】
特許文献１は、３段繰り出し可能なレンズ鏡筒を開示している。
【先行技術文献】
【特許文献】
【０００３】
【特許文献１】特開２０１１−１３６１３号公報
【発明の概要】
【発明が解決しようとする課題】
【０００４】
本開示では、より品位を向上したレンズ鏡筒を提供することを目的とする。
【課題を解決するための手段】
【０００５】
本開示のレンズ鏡筒は、カムフォロアを有する第１枠と、前記カムフォロアと係合するカムを有する第２枠と、を備える。
前記カムは、前記第２枠の回転方向に延びる第１区間と、前記第１区間と連続し、前記第２枠の回転方向に対して傾いて延びる第２区間と、前記第１区間に対して前記第２区間と反対側で前記第１区間に連続し、前記第２枠の回転方向に対して傾いて延びる第３区間と、を有する。
前記カムフォロアは、前記カムの前記第１区間と対向して配置された第１面と、前記第１面と連続して構成され、前記第２枠の回転方向に対して傾いて延びる第２面と、前記第１面に対して前記第２面と反対側で前記第１面に連続し、前記第２枠の回転方向に対して傾いて延びる第３面と、を有する。
【発明の効果】
【０００６】
上記手段のようにすれば、本開示では、落下強度を向上することにより、より品位の高いレンズ鏡筒を提供することができる。
【図面の簡単な説明】
【０００７】
【図１】実施形態に係るレンズ鏡筒の斜視図。
【図２】実施形態に係るレンズ鏡筒の分解斜視図。
【図３】図１のIII−III線での断面図（レンズ鏡筒は収納状態）。
【図４】望遠状態のレンズ鏡筒の断面図。
【図５】１群ユニットの分解斜視図。
【図６】１群ユニットのベース枠とカム枠の側面図。
【図７】図６の部分拡大図。
【図８】カム枠の斜視図。
【図９】カム枠のカムとベース枠のカムフォロアの模式図。
【図１０】ベース枠の斜視図。
【図１１】ベース枠及びバリア羽根の部分拡大分解斜視図。
【図１２】ベース枠、カムリング、及びバリア羽根の光軸方向被写体側から見た図。
【図１３】カムリング及びバリア羽根を光軸方向非被写体側から見た図。
【図１４】バリア羽根の斜視図。
【図１５】バリア羽根の部分拡大斜視図。
【図１６】ベース枠、カムリング、バリア羽根、及びカム枠の斜視図。
【図１７】カム枠の部分斜視図。
【発明を実施するための形態】
【０００８】
（実施の形態１）
以下、図を参照しながら、実施の形態１を説明する。
【０００９】
［１．レンズ鏡筒１の全体構成］
レンズ鏡筒１の全体概要を図１〜４を用いて説明を行う。図１は、レンズ鏡筒１の斜視図である。図２は、レンズ鏡筒１の分解斜視図である。
【００１０】
レンズ鏡筒１は、デジタルスチルカメラに搭載されるレンズ鏡筒を示した例であるが、これに限られず、フィルムカメラ、ビデオカメラ、携帯電話、スマートフォン等にも搭載可能である。
【００１１】
レンズ鏡筒１は、複数のレンズを有し、複数のレンズの相対的な位置を変化させることで、ズームやフォーカスを可能にしている。したがって、レンズ鏡筒１は、複数のレンズの位置を変化させるために、レンズを保持するレンズ枠の位置を機構的に移動可能に構成している。
【００１２】
なお、本実施の形態は一例として２段沈胴のレンズ鏡筒を示すが、本開示は、３段沈胴のレンズ鏡筒等を含む他の種類のレンズ鏡筒にも適用可能である。
【００１３】
また、レンズ鏡筒１は、撮像素子を備え、複数のレンズで集光された光学信号を電気信号に変換可能である。
【００１４】
図２で、各構成を説明する。レンズ鏡筒１は、固定枠ユニット１００、１群直進ユニット２００、１群ユニット３００、カム枠４００、２群ユニット５００、２群直進枠６００、３群枠７００、マスターフランジユニット８００、撮像素子ユニット９００を備える。
【００１５】
固定枠ユニット１００は、１群直進ユニット２００の直進キー２００ａと係合される直進溝（図示せず）を内周面に有する。直進溝は、光軸ＡＸと平行となる方向に沿って形成される溝である。これにより、１群直進ユニット２００は、固定枠ユニット１００に対して相対的な光軸方向の移動が可能であり、回転が規制されている。
【００１６】
１群直進ユニット２００は、１群ユニット３００の直進キー３０２ｐと係合される直進溝（図示せず）を内周面に有する。これにより、１群ユニット３００は、１群直進ユニット２００に対して相対的な光軸方向の移動が可能であり、回転が規制されている。
【００１７】
１群ユニット３００は、カム枠４００のカムフォロア４００ｇと係合されるカム溝（図示せず）を内周面に有する。１群ユニット３００は、第１レンズ群Ｌ１を保持する。これにより、１群ユニット３００は、カム枠４００が回転すると、カム枠４００に対して回転しながら進退するように構成されている。
【００１８】
カム枠４００は、２群ユニット５００のカムフォロア５００ａと係合されるカム溝（図示せず）を内周面に有する。これにより、２群ユニット５００は、カム枠４００が回転すると、カム枠４００に対して回転しながら進退するように構成されている。
【００１９】
カム枠４００は、固定枠ユニット１００内周面のカム溝（図示せず）と係合されるカムフォロア４００ｉを有する。またカム枠４００は、ギア４００ｈを外周に有し、固定枠ユニット１００のズームモータ１０１のギアの力を受けて、固定枠ユニット１００内で回転する。これにより、カム枠４００は、固定枠ユニット１００内で回転されると、カムフォロア４００ｉとカム溝（図示せず）の関係で、固定枠ユニット１００内を進退する。
【００２０】
２群ユニット５００は、第２レンズ群Ｌ２を保持する。２群ユニット５００は、シャッターと絞りとＯＩＳを有する。２群ユニット５００は、シャッターを動かすためのアクチュエータ、絞りを動かすためのアクチュエータ、ＯＩＳを動かすためのアクチュエータ（センサを含む）を有する。そのため、アクチュエータとレンズ鏡筒１の外部に設けられる制御回路とを電気的に接続するため、フレキシブルプリント基板５０２が設けられている。フレキシブルプリント基板５０２は、マスターフランジユニット８００にも固定される。２群ユニット５００の詳細説明は後述する。
【００２１】
２群直進枠６００は、２群ユニット５００外周の直進溝５０２ｂと係合される直進突起６００ａを有する。これによって、２群直進枠６００は、２群ユニット５００の回転を規制する。
【００２２】
２群直進枠６００は、外周に直進キー６００ｂを有する。２群直進枠６００の直進キー６００ｂは、固定枠ユニット１００の直進溝（図示せず）と係合する。さらに、２群直進枠６００は、カム枠４００にバヨネット機構６００ｃ（図３及び図４参照）で係合される。これによって、２群直進枠６００は、カム枠４００に対して、光軸方向での移動は規制され、回転可能に保持される。また、２群直進枠６００は、カム枠４００が固定枠ユニット１００内で移動すると、固定枠ユニット１００に対して回転が規制され、移動する。
【００２３】
３群枠７００は、第３レンズ群Ｌ３を保持する。３群枠７００は、マスターフランジユニット８００のガイドポール８００ａ（図４参照）に支持される。第３群枠７００は、フォーカスモータ８０１によって駆動されて光軸方向に移動する。マスターフランジユニット８００は、被写体側に固定枠ユニット１００が固定され、非被写体側に撮像素子ユニット９００が固定されている。
【００２４】
図３、図４は、レンズ鏡筒１の断面図である。図３は、レンズ鏡筒１の収納状態（沈胴状態）を示す。一方、図４は、レンズ鏡筒１の最も繰り出した状態（望遠状態）を示す。
【００２５】
図３及び図４を参照すると、２段繰り出しを実現していることが分かる。ズームモータ１０１がカム枠４００を固定枠ユニット１００に対して回転させると、固定枠ユニット１００に対してカム枠４００が光軸方向で進退する。カム枠４００が光軸方向で進退すると、バヨネット機構６００ｃによって、１群直進ユニット２００はカム枠４００に伴って光軸方向に進退する。また、１群ユニット３００は、カム枠４００が１群直進ユニット２００の内周側で相対的に回転すると、光軸方向に進退する。
【００２６】
なお、２群ユニット５００は、カム枠４００及び２群直進枠６００によって、カム枠４００の内周側で光軸方向に進退する。
【００２７】
さらに、３群枠７００は、マスターフランジユニット８００に固定されたガイドポール８００ａに支持される。３群枠７００は、フォーカスモータ８０１の駆動によって、光軸方向を進退移動する。
【００２８】
［２．１群ユニット３００の全体構成］
以下、具体的に図を用いて内容を説明する。
【００２９】
まず、図５を用いて、１群ユニット３００の構成を説明する。
化粧リング３０１は、開口部３０１ｂを有する。化粧リング３０１は、最も被写体側にある金属製の外観部材であり、ベース枠（１群枠）３０２に固定される。化粧リング３０１は、ベース枠３０２との間で空間を形成し、バリア羽根３０３、カムリング３０４がその空間内で動作する。
【００３０】
開口部３０１ｂは、化粧リング３０１に形成される。開口部３０１ｂは、撮影のための有効光束が通過するための開口である。
【００３１】
ここで、化粧リング３０１は、金属で構成されている。したがって、開口部３０１ｂから入射した光が化粧リング３０１の内面で反射し、カムリングやバリア羽根等の間を通過して、漏光となることがある。そこで、化粧リング３０１では、内面に反射防止部を設けている。反射防止部の一例として、化粧リングの内面全体に黒塗装を施すことで実現可能である。このようにすれば、漏光を軽減することができる。
【００３２】
ベース枠（１群枠）３０２は、図５に示すように、回動軸３０２ｄ、第１径部３０２ｅ、第３フック３０２ｆ、第４フック３０２ｇ、羽根ストッパー部３０２ｈ、直進キー３０２ｐ、を有する。また、図６、図７に示すように、ベース枠（１群枠）３０２は、内周面に、カムフォロア３０２ｌ、カム溝３０２ｃを有する。カムフォロア３０２ｌは、第１面３０２ｉ、第２面３０２ｊ、第３面３０２ｋ、第４面３０２ｍ、を有する。第１面３０２ｉ、第２面３０２ｊ、第３面３０２ｋは、図８に示す、カム枠４００のカム４００ｋである第１区間４００ｄ、第２区間４００ｅ、第３区間４００ｆの何れかと沿って、移動する。なお、カム溝３０２ｃは、図６に示すように、カム枠４００のカムフォロア４００ｇが係合して移動可能である。すなわち、ベース枠（１群枠）３０２は、カム枠４００とカム機構により係合し、ズーム動作、沈胴動作に連動してカム枠４００が回転することで、光軸方向に進退する。
【００３３】
ベース枠（１群枠）３０２は、光軸に対して１８０°対称に回動軸３０２ｄを２個有する。ベース枠（１群枠）３０２は、カムリング３０４と回転自在に第２径部３０４ａと径嵌合する。
【００３４】
回動軸３０２ｄは、ベース枠（１群枠）３０２に形成される。回動軸３０２ｄは、光軸に対して１８０°対称に２個ある。回動軸３０２ｄは、バリア羽根３０３の回動軸ボス３０３ｂが回転自在に係合する。
【００３５】
第１径部３０２ｅは、ベース枠（１群枠）３０２に形成される。第１径部３０２ｅは、第２径部３０４ａと径嵌合する。
【００３６】
第３フック３０２ｆは、ベース枠（１群枠）３０２に形成される。第３フック３０２ｆは、第１開バネ３０３ｆが取り付くフックである。
【００３７】
第４フック３０２ｇは、ベース枠（１群枠）３０２に形成される。第４フック３０２ｇは、第２開バネ３０３ｅが取り付くフックである。
【００３８】
羽根ストッパー部３０２ｈは、ベース枠（１群枠）３０２に形成される。羽根ストッパー部３０２ｈは、バリア羽根３０３が開状態で、開ストッパー部３０３ｏと当接する。
【００３９】
カムフォロア３０２ｌは、第１面３０２ｉ、第２面３０２ｊ、第３面３０２ｋを有する。ベース枠（１群枠）３０２の内周面から突出する３個のカムフォロア３０２ｌが形成されている。カムフォロア３０２ｌは、図７又は図９に示すように、第３面３０２ｋ、第１面３０２ｉ、第２面３０２ｊの順に面が形成されている。第３面３０２ｋは、ベース枠（１群枠）３０２の円筒軸の周方向（カム枠４００の回転方向）に対して、角度θ２を持つ。同様に、第２面３０２ｊは、円筒軸の周方向に対して、角度θ１を持つ。第１面３０２ｉは、第２面及び第３面を繋ぐ円弧状の形状を有している。
【００４０】
ここで、カムフォロア３０２ｌは、カム枠４００に対して移動される場合、カム枠４００に設けられたカム４００ｋの少なくとも一部の面と沿って移動する。ここで、１群枠３０２の内周面には、カムフォロア３０２ｌ以外のカム機構としてカム溝３０２ｃが設けられている。このカムフォロア３０２ｌ以外のカム機構としてのカム溝３０２ｃは、カム枠４００のカムフォロア４００ｇと係合されている。すなわち、１群枠３０２のカム溝３０２ｃとカム枠４００のカムフォロア４００ｇとの係合によって、１群枠３０２とカム枠４００との相対的な光軸方向の移動を実現している。
【００４１】
また、カム枠４００のカム４００ｋは、第２区間４００ｅ、第１区間４００ｄ、第３区間４００ｆの順に面が形成されている。第２区間４００ｅは、円筒軸の周方向（カム枠４００の回転方向）に対して、最大角度θ３を持つ。第３区間４００ｆは、円筒軸の周方向に対して、最大角度θ４を持つ。第１区間４００ｄは、第２区間４００ｅ及び第３区間４００ｆを繋いでいて、周方向に対して略平行となる。
【００４２】
ここで、上記θ１とθ２とθ３とθ４は、以下の関係を持つことが好ましい。
式１：θ１≧θ３
式２：θ２≧θ４
【００４３】
以下、図１０〜１７を用いて、１群ユニット３００のバリア構成等を説明する。
バリア羽根３０３は、バネ当接壁３０３ｈ、回動軸ボス３０３ｂ、バネ当接壁３０３ｈ、本体部３０３ａ、カムリング当接部３０３ｌを有し、回動軸３０２ｄに回転自在に係合する。バリア羽根３０３は、光軸に対して１８０°対称に２個存在する。バリア羽根３０３は、前側を化粧リング３０１、後ろ側をカムリング３０４に挟まれた空間内に配置される。バリア羽根３０３は、撮影時には開口部３０１ｂを覆う閉位置と非撮影時には開口部３０１ｂを開放する開位置の間を移動する。
【００４４】
回動軸ボス３０３ｂは、バリア羽根３０３に形成される。回動軸ボス３０３ｂは、抜け止め用爪３０３ｃを３個有し、外径周りに閉バネ３０３が取り付く。
【００４５】
抜け止め用爪３０３ｃは、回動軸ボス３０３ｂに形成される。抜け止め用爪３０３ｃは、斜面３０３ｉと、段部３０３ｊを有する。抜け止め用爪３０３ｃは、回動軸ボス３０３ｂ外周に３個ある。
【００４６】
バネ当接壁３０３ｈは、バリア羽根３０３に形成される。バネ当接壁３０３ｈは、閉バネ３０３ｄの一端が当接する。
【００４７】
斜面３０３ｉは、抜け止め用爪３０３ｃに形成される。斜面３０３ｉは、閉バネ３０３を取り付ける時に付け易くする誘い形状としての斜面である。
【００４８】
段部３０３ｊは、抜け止め用爪３０３ｃに形成される。段部３０３ｊは、閉バネ３０３が取り付いた後に外れなくする段部である。
【００４９】
本体部３０３ａは、バリア羽根３０３に形成される。本体部３０３ａは、バリア羽根３０３の回動軸ボス３０３ｂ以外の部分で開口部３０１ｂを覆う部分を含む。
【００５０】
カムリング当接部３０３ｌは、バリア羽根３０３に形成される。カムリング当接部３０３ｌは、羽根当接面３０４ｆが当接する。
【００５１】
閉バネ３０３ｄは、コイル部３０３ｇ、第１腕部３０３ｍ、第２腕部３０３ｎを有する。閉バネ３０３ｄは、第１腕部３０３ｍがバネ当接壁３０３ｈに当接し、第２腕部３０３ｎが、バネ当接面３０４ｅに当接している。その結果、閉バネ３０３ｄのバネ力により、羽根開閉ボス３０４ｇをカムリング当接部３０３ｌと第２腕部３０３ｎで挟み込んだ状態となる。その状態でカムリング３０４が回転すると羽根開閉ボス３０４ｇも回転し、その回転に連動して、バリア羽根３０３が回動軸３０２ｄ周りに回転し、開口部３０１ｂに対して開閉動作をする。バリア羽根３０３が閉じた瞬間から更にカムリング３０４を閉方向に回転すると、カムリング当接部３０３と羽根当接面３０４ｆの当接が離れ、閉バネ３０３ｄがチャージされることにより、バリア羽根３０３を閉方向に付勢する。２つのバリア羽根３０３に各々取り付く。
【００５２】
コイル部３０３ｇは、閉バネ３０３ｄの一部分である。コイル部３０３ｇは、ねじりコイルスプリングのコイル状部分である。
【００５３】
第１腕部３０３ｍは、閉バネ３０３ｄの一部分である。第１腕部３０３ｍは、バネ当接壁３０３ｈに当接される。
【００５４】
第２腕部３０３ｎは、閉バネ３０３ｄの一部分である。第２腕部３０３ｎは、バネ当接面３０４ｅに当接される。
【００５５】
開ストッパー部３０３ｏは、バリア羽根３０３が開状態で、羽根ストッパー部３０２ｈと当接する。
【００５６】
第１開バネ３０３ｆは、第１フック３０４ｃと第３フック３０２ｆとの間に掛けられた、引っ張りコイルスプリングで、カムリングをベース枠（１群枠）３０２に対して開方向に付勢する。
【００５７】
第２開バネ３０３ｅは、第１開バネ３０３ｆと同じように、第２フック３０４ｄと第３フック３０２ｆとの間に掛けられた、引っ張りコイルスプリングで、カムリングをベース枠（１群枠）３０２に対して開方向に付勢する。第２開バネ３０３ｅは、第１開バネ３０３ｆの取付け方向、すなわちコイルスプリングが伸び縮みする方向に対して、所定の角度を持って取り付く。
【００５８】
カムリング３０４は、第２径部３０４ａ、回転連動部３０４ｂ、第１フック３０４ｃ、第２フック３０４ｄ、羽根開閉ボス３０４ｇを有する。カムリング３０４は、ベース枠（１群枠）３０２と回転自在に第１径部３０２ｅと径嵌合し、前側を化粧リング３０１、後ろ側をベース枠（１群枠）３０２に挟まれた空間内に配置される。カムリング３０４は、羽根作動ボスを光軸に対して１８０°対称に２個有する。カムリング３０４は、バリア羽根３０３の後ろ側と当接する摺動レールを有する。
【００５９】
第２径部３０４ａは、カムリング３０４に形成される。第２径部３０４ａは、第１径部３０２ｅと径嵌合する。
【００６０】
回転連動部３０４ｂは、カムリング３０４に形成される。回転連動部３０４ｂは、カム枠４００の回転をカムリング３０４に伝えるために、回転伝達部４００ａと係合する。回転伝達部４００ａとの係合時に、カム枠４００に対してベース枠（１群枠）３０２が光軸方向に移動するため、回転連動部３０４ｂは光軸方向の非被写体側に突出した形状としている。
【００６１】
第１フック３０４ｃは、カムリング３０４に形成される。第１フック３０４ｃは、１開バネ３０３ｆが取り付くフックである。
【００６２】
第２フック３０４ｄは、カムリング３０４に形成される。第２フック３０４ｄは、第２開バネ３０３ｅが取り付くフックである。
【００６３】
バネ当接面３０４ｅは、羽根開閉ボス３０４ｇに形成される。バネ当接面３０４ｅは、閉バネ３０３ｄの一端が当接する。
【００６４】
羽根当接面３０４ｆは、羽根開閉ボス３０４ｇに形成される。羽根当接面３０４ｆは、カムリング当接部３０３ｌが当接し、バネ当接面３０４ｅにはカムリングが回転するとバリア羽根は、回動中心周りに回転し、開口部に対して開閉動作をする。
【００６５】
羽根開閉ボス３０４ｇは、カムリング３０４に形成される。羽根開閉ボス３０４ｇは、光軸に対して１８０°対称に２個が、カムリングの被写体側面に形成され、バネ当接面３０４ｅ、羽根当接面３０４ｆを有する。
【００６６】
カム枠４００は、回転伝達部４００ａ、凹部４００ｂ、遮光壁４００ｃを有する。カム枠４００は、鏡筒のズーム及び沈胴動作に連動して回転する。
【００６７】
回転伝達部４００ａは、カム枠４００に形成される。回転伝達部４００ａは、転枠（カム枠）４００の回転をカムリング３０４に伝えるために、回転連動部３０４ｂと係合する。
【００６８】
凹部４００ｂは、カム枠４００に形成される。凹部４００ｂは、鏡筒が沈胴位置、すなわちカムリング３０４とカム枠４００が最も光軸方向に接近した時に、回転連動部３０４ｂとカム枠４００が干渉しないように、回転伝達部４００ａと隣接して、半径方向から見て光軸方向に凹形状で減肉した部分である。
【００６９】
遮光壁４００ｃは、凹部４００ｂに形成される。遮光壁４００ｃは、凹部の径方向内側に設けた壁で、半径方向から見て回転連動部３０４ｂとオーバーラップする。
【００７０】
なお、図に示されるＦ１、Ｆ２、Ｔ、θ５、θ６の説明を行う。
第１バネ力Ｆ１：第１フック３０４ｃに掛かる第１開バネ３０３ｆの力
第２バネ力Ｆ２：第２フック３０４ｄに掛かる第２開バネ３０３ｅの力
回転連動力Ｔ：回転伝達部４００ａから回転連動部３０４ｂに掛かる力
角度θ５：回転連動力Ｔの方向と第１バネ力Ｆ１の方向のなす角度
角度θ６：回転連動力Ｔの方向と第２バネ力Ｆ２の方向のなす角度
【００７１】
［３．１群ユニット３００の動作説明］
以下、上記のように構成された１群ユニットの動作説明を行う
【００７２】
レンズ鏡筒１は、カメラの電源をＯＦＦすると、鏡筒が撮影状態から沈胴方向へ繰り込むようにカム枠４００を回転する。カム枠４００が回転すると、カム機構により、ベース枠（１群枠）３０２がカム枠４００に対して相対的に回転しながら接近する。この結果、鏡筒が広角端を過ぎてから、沈胴端に達するまでの間に、回転伝達部４００ａが回転連動部３０４ｂと当接、第１開バネ３０３ｆと第２開バネ３０３ｅのバネ力に抗して、カム枠４００が回転に連動しながらカムリング３０４は閉方向に回転する。カムリング３０４が閉方向に回転すると、羽根開閉ボス３０４ｇも共に回転し、その回転に連動して、バリア羽根３０３が回動軸３０２ｄ周りに回転し、開口部３０１ｂに対して閉動作をする。２つのバリア羽根３０３同士が当接した、閉じた瞬間から更にカムリング３０４を閉方向に回転すると、カムリング当接部３０３と羽根当接面３０４ｆの当接が離れ、閉バネ３０３ｄがチャージされることにより、バリア羽根３０３を閉方向に付勢する。
【００７３】
一方、レンズ鏡筒１は、カメラの電源をＯＮすると、鏡筒が沈胴端から繰り出すようカム枠４００を回転させる。カム枠４００が開方向に回転すると、第１開バネ３０３ｆと第２開バネ３０３ｅのバネ力により、カムリング３０４は、当接部が当接したまま、開方向に回転する。カムリング３０４が開方向に回転すると、羽根開閉ボス３０４ｇも共に回転し、その回転に連動して、バリア羽根３０３が回動軸３０２ｄ周りに回転し、開口部３０１ｂに対して開動作をする。そして、広角端に達するまでの間に、バリア羽根３０３の開ストッパー部３０３ｏが、ベース枠（１群枠）３０２の羽根ストッパー部３０２ｈに当接した時点でバリア羽根３０３の開動作は停止し、バリア羽根３０３と連動して、カムリング３０４の開方向回転も停止する。鏡筒がその状態から撮影状態に繰り出すよう、更にカム枠４００が開方向に回転すると、カム機構により、ベース枠（１群枠）３０２がカム枠４００に対して相対的に回転しながら離間する。この結果、回転伝達部４００ａと回転連動部３０４ｂの当接が離れるが、カムリング３０４は、第１開バネ３０３ｆと第２開バネ３０３ｅのバネ力により、開方向に付勢されているので、撮影動作中においてバリア羽根３０３は開状態を維持する。
【００７４】
［４．第１態様のまとめ］
実施の形態では、カム４００ｋは、移動軌跡の円周方向となす角が略０の第１区間４００ｄと、第１区間４００ｄと連続して構成され、移動軌跡の円周方向となす最大角がθ３である第２区間４００ｅと、第１区間４００ｄに対して第２区間４００ｅと反対側で第１区間４００ｄに連続して形成され、移動軌跡の円周方向となす最大角がθ４である第３区間４００ｆと、を有する。また、カムフォロア３０２ｌは、円錐又は円筒で構成された第１面３０２ｉと、第１面３０２ｉと連続して構成され、円周方向となす角が略θ１である第２面３０２ｊと、第１面３０２ｉに対して前記第２面３０２ｊと反対側で前記第１面３０２ｉに連続して形成され、円周方向となす角が略θ２である第３面３０２ｋと、を有する。そして、θ３は、θ１と略一致する。また、θ４は、θ２と略一致する。
【００７５】
このようにすれば、カムの軌跡が被写体側に頂点を有する位置において、より平坦な面を構成をとることができる。したがって、カムフォロアがカムの頂点に位置した場合の落下強度を向上させることができる。加えて、カムフォロアとカムの接触面積を大きくすることができる。
【００７６】
［５．第２態様のまとめ］
閉バネ３０３ｄは、一端をカムリング３０４のバネ当接面３０４ｅに、もう一端をバリア羽根３０３のバネ当接壁３０３ｈに当接され、コイル部３０３ｇを回動軸ボス３０３ｂ周りに配置された、捻りコイルスプリングとし、そのコイル部３０３ｇが回動軸ボス３０３ｂから抜けてこない様、回動軸ボス３０３ｂには抜け止め用爪３０３ｃが３箇所設けられ、抜け止めには、閉バネ３０３ｄをパッチン嵌めするための誘い形状としての斜面３０３ｉと閉バネ３０３が取り付いた後に外れなくする段部３０３ｊが構成されている。
こうすることで、閉バネ３０３ｄのコイル部３０３ｇは、バリア羽根３０３の本体部３０３ａと抜け止め用爪３０３ｃの段部との間の空間で姿勢を拘束され、バリア羽根３０３以外の周りの部材、例えば、ベース枠（１群枠）３０２やカムリング３０４等には触れなくなる。従って、それら周りの部材に余計な外力、摩擦力を与えることがなく、また、バリア羽根３０３にもそれら外力、摩擦力の反力が掛かることもなくなり、バリア羽根３０３やカムリング３０４の作動が安定し、必要作動力も減らすことができる。
【００７７】
［６．第３態様のまとめ］
カムリング３０４を開方向に付勢するバネを２個（第１開バネ３０３ｆ、第２開バネ３０３ｅ）用いる。
【００７８】
このとき、
第１バネ力Ｆ１＝第１フック３０４ｃに掛かる第１開バネ３０３ｆの力
第２バネ力Ｆ２＝第２フック３０４ｄに掛かる第２開バネ３０３ｅの力
回転連動力Ｔ  ＝回転伝達部４００ａから回転連動部３０４ｂに掛かる力
θ５＝回転連動力Ｔの方向と第１バネ力Ｆ１の方向のなす角度
θ６＝回転連動力Ｔの方向と第２バネ力Ｆ２の方向のなす角度
として、
Ｔ＝Ｆ１×ｃｏｓθ５＋Ｆ２×ｃｏｓθ６
となるように、第１開バネ３０３ｆ、第２開バネ３０３ｅおよび回転連動部３０４ｂを配置する（図１３参照）。なお、図１３において符号Ｆ１２は第１バネ力Ｆ１と第２バネ力Ｆ２の合力を示す。
【００７９】
こうすると、カムリング３０４に作用する力は、カムリング３０４回転中心での回転トルク（モーメント）以外にはなくなるので、カムリング３０４をベース枠（１群枠）３０２に対して偏芯させようとする力もなくなる。カムリング３０４からベース枠（１群枠）３０２に対して偏芯力が作用しなくなると、カムリング３０４の第２径部３０４ａからベース枠の第１径部３０２ｅに掛かる押圧力がほとんどなくなり、その部位での摩擦力が低下、磨耗も少なくなる。結果、耐久性の良いレンズバリア機構が達成できる。要は、カムリング３０４に作用する全ての力をベクトルとして互いに略キャンセルする方向に配置すれば良い。それは、開バネの数が２個、回転連動部３０４ｂが１個でなくてもよく、開バネの数が３個、回転連動部３０４ｂが３個等、各々が複数個あっても良い。
【００８０】
［７．第４態様のまとめ］
レンズ鏡筒１が望遠状態（図６）において、フランジ３０２ａと１群直進ユニット２００の内周面の隙間から漏光してきた場合、カム枠４００の被写体側端部が遮光壁の役目を担う。その場合、カム枠４００の被写体側端部は、被写体方向に長い方が遮光効果は高くなる。ところが、カム枠４００には凹部４００ｂがあると、その部分の被写体側端部は被写体方向に短くなっているため、遮光効果が低くなってしまう。そこで、遮光壁４００ｃをカム枠４００に形成し、その部分の被写体側端部を被写体方向に長くする。そうすることで、回転枠の遮光効果は高くなり、フランジ３０２ａと１群直進ユニット２００の内周面の隙間から、凹部４００ｂを通過して回転枠の外側から内側に入射する有害光を遮断できる。
【００８１】
（他の実施の形態）
上述した実施の形態１は、一実施の形態であり、適宜修正が可能である。
【産業上の利用可能性】
【００８２】
本開示は、デジタルスチルカメラ等に設けられるレンズ鏡筒に適用可能である。
【符号の説明】
【００８３】
１  レンズ鏡筒
１００  固定枠ユニット
１０１  ズームモータ
２００  １群直進ユニット
２００ａ  直進キー
３００  １群ユニット
３０１  化粧リング
３０１ｂ  開口部
３０２  ベース枠（１群枠）
３０２ｃ  カム溝
３０２ｄ  回動軸
３０２ｅ  第１径部
３０２ｆ  第３フック
３０２ｇ  第４フック
３０２ｈ  羽根ストッパー部
３０２ｉ  第１面
３０２ｊ  第２面
３０２ｋ  第３面
３０２ｌ  カムフォロア
３０２ｍ  第４面
３０２ｐ  直進キー
３０３  バリア羽根
３０３ａ  バリア羽根本体部
３０３ｄ  閉バネ
３０３ｅ  第２開バネ
３０３ｆ  第１開バネ
３０３ｇ  コイル部
３０３ｈ  バネ当接壁
３０３ｉ  斜面
３０３ｊ  段部
３０３ｌ  カムリング当接部
３０３ｍ  第１腕部
３０３ｎ  第２腕部
３０３ｏ  開ストッパー部
３０４  カムリング
３０４ａ  第２径部
３０４ｂ  回転連動部
３０４ｃ  第１フック
３０４ｄ  第２フック
３０４ｅ  バネ当接面
３０４ｆ  羽根当接面
３０４ｇ  羽根開閉ボス
４００  カム枠
４００ａ  回転伝達部
４００ｂ  凹部
４００ｃ  遮光壁
４００ｄ  第１区間
４００ｅ  第２区間
４００ｆ  第３区間
４００ｇ  カムフォロア
４００ｈ  ギア
４００ｉ  カムフォロア
４００ｋ  カム
５００  ２群ユニット
５０２ａ  カムフォロア
５０２ｂ  直進溝
６００  ２群直進枠
６００ａ  直進突起
６００ｂ  直進キー
６００ｃ  バヨネット機構
７００  ３群枠
８００  マスターフランジユニット
８００ａ  ガイドポール
８０１  モータ
９００  撮像素子ユニット
Ｌ１  第１レンズ群
Ｌ２  第２レンズ群
Ｌ３  第３レンズ群
【図１】
2014142633.tif 000003
【図２】
2014142633.tif 000004
【図３】
2014142633.tif 000005
【図４】
2014142633.tif 000006
【図５】
2014142633.tif 000007
【図９】
2014142633.tif 000008
【図１０】
2014142633.tif 000009
【図１１】
2014142633.tif 000010
【図６】
2014142633.tif 000011
【図７】
2014142633.tif 000012
【図８】
2014142633.tif 000013
【図１２】
2014142633.tif 000014
【図１３】
2014142633.tif 000015
【図１４】
2014142633.tif 000016
【図１５】
2014142633.tif 000017
【図１６】
2014142633.tif 000018
【図１７】
2014142633.tif 000019